(57)【要約】    【課題】  フィルタの目詰まりがなく、フィルタの寿命が伸び、その清掃サイクル、あるいは交換サイクルを伸ばすことができる脱臭装置を提供する。    【解決手段】  脱臭装置は、外界から隔てられた筐体１４内に、汚染排気の流入口１１からその汚染排気が浄化された清浄排気の流出口１２までの気体流路を横切ってフィルタ２０・２１・２２・２３・２４、および駆動源１８に連結するファン１７を有する脱臭装置において、流入口１１からフィルタ２０にいたる途中に、下端にドレイン３２を設けたサイクロン室３０を設け、サイクロン室３０の、側面壁であって上下中央よりも下部で且つ上下中央軸３３の放射方向から外れて流入口１１が開口し、フィルタ２０の側に向かう側面壁の上下中央よりも上部に流路開口を有する。【選択図】          図１
2008043837.tif 000002
【特許請求の範囲】
【請求項１】
外界から隔てられた筐体内に、汚染排気の流入口からその汚染排気が浄化された清浄排気の流出口までの気体流路を横切ってフィルタ、および駆動源に連結するファンを有する脱臭装置において、流入口からフィルタにいたる途中に、下端にドレインを設けたサイクロン室を設け、サイクロン室の、側面壁であって上下中央よりも下部で且つ上下中央軸の放射方向から外れて該流入口が開口し、該フィルタの側に向かう側面壁の上下中央よりも上部に流路開口を有する脱臭装置。
【請求項２】
該ファンは、該フィルタから該流出口までの間に配置されていることを特徴とする請求項１に記載の脱臭装置。
【請求項３】
該フィルタが活性炭素、パーライト、セラミックスボール、ソーダライム、化学的消臭剤を担持した繊維から選ばれる物質の層を有することを特徴とする請求項１に記載の脱臭装置。
【発明の詳細な説明】
【技術分野】
【０００１】
本発明は、汚染した油分や水分等の液体が混入した排気を液体分離して脱臭する装置に関する。
【背景技術】
【０００２】
油類を使用する工場や、食品工場等の排気、あるいはレストラン、ホテル、病院等のゴミ処理場、ゴミ焼却炉などからの排気は、悪臭を発生するため、近隣からの苦情を寄せられることが多い。そこでこれら工場等の排気設備に脱臭装置が取り付けられている。
【０００３】
このような脱臭装置の多くは、例えば特許文献１に示された消臭装置のように、消臭機能を備えたフィルタを臭気源からの排気が通過することで脱臭されるものである。
【０００４】
臭気源からの排気は多くの場合、固体の微細な塵埃粒子とともに、水蒸気、油煙などの液体粒子が含まれている。従来の脱臭装置では、これらの粒子をフィルタで阻止するものであるから、フィルタの目詰まりは必然的に発生するものであった。
【０００５】
一方、特許文献２にはサイクロンを利用し、臭いを発生させることなく雑芥を焼却することのできる焼却炉が記載されている。
【０００６】
【特許文献１】特開２００４−１４１４０６号公報
【特許文献２】特開平９−７２５２３号公報
【発明の開示】
【発明が解決しようとする課題】
【０００７】
本発明は前記した従来の脱臭装置がフィルタが目詰まりしやすいという問題点を解消するためになされたもので、フィルタの寿命が伸び、その清掃サイクル、あるいは交換サイクルを伸ばすことができる脱臭装置を提供することを目的とする。
【課題を解決するための手段】
【０００８】
前記の目的を達成するためになされた、特許請求の範囲の請求項１に記載された脱臭装置は、外界から隔てられた筐体内に、汚染排気の流入口からその汚染排気が浄化された清浄排気の流出口までの気体流路を横切ってフィルタ、および駆動源に連結するファンを有する脱臭装置において、流入口からフィルタにいたる途中に、下端にドレインを設けたサイクロン室を設け、サイクロン室の、側面壁であって上下中央よりも下部で且つ上下中央軸の放射方向から外れて該流入口が開口し、該フィルタの側に向かう側面壁の上下中央よりも上部に流路開口を有する。
【０００９】
同じく請求項２に記載された脱臭装置は、請求項１に記載された脱臭装置であって、該ファンは該フィルタから該流出口までの間に配置されていることを特徴とする。
【００１０】
請求項３に記載された脱臭装置は、請求項１に記載された脱臭装置であって、該フィルタが活性炭素、パーライト、セラミックスボール、ソーダライム、化学的消臭剤を担持した繊維から選ばれる物質の層を有することを特徴とする。
【発明の効果】
【００１１】
この脱臭装置は、ファンが回転することによって汚染排気が吸い込まれサイクロン室内でサイクロンが起こり油分や水分等の汚染粒子が遠心力で側面壁にあたり、ドレインから落下する。そして汚染排気はフィルタを通ることによって浄化され、流出口から排出される。この一連の排気の流れで、フィルタにいたる以前にサイクロンで汚染粒子が遠心分離され、汚染排気が一次的に浄化されるので、フィルタの汚染、目詰まりを防止できる。
【００１２】
そのため本発明の脱臭装置は、フィルタの清掃サイクル、交換サイクルを伸ばすことができる上に、フィルタの寿命が飛躍的に伸びる。メンテナンスを省力化し、またメンテナンス費用を軽減することができる。
【実施例】
【００１３】
以下、本発明の実施例を図面を参照して詳細に説明するが、本発明の範囲はこれらの実施例に限定されるものではない。
【００１４】
図１は本発明を適用する脱臭装置の実施例の一部切欠き斜視図である。この脱臭装置は、汚染された気体が流入口１１から入り装置を通りぬけて流出口１２から排出されるまでの間に汚染が除去され、同時に脱臭するものである。
【００１５】
装置は、外面が筐体１４とファンケース１５が連結筒１６により繋ながれた構造で、内部と外界が隔てられている。筐体１４の内部は隔壁２５で仕切られた空間のサイクロン室３０が構成される。筐体１４のサイクロン室の壁には、壁面の下部で且つ左右中央軸３３から外れて（図示では流入方向から見て右より下部）に流入口１１が開口した筒が連結する。この筒は図示しない汚染排気源に接続される。サイクロン室３０の下端にはドレイン３２が取付けられている。
【００１６】
筐体１４の内の隔壁２５で仕切られたサイクロン室３０の裏側の空間には、金属網からなるプレフィルタ２０、中和フィルタ２１、活性炭フィルタ２２、セラミックスボールフィルタ２３、消臭繊維フィルタ２４が順に配置されている。隔壁２５の高さは筐体１４の内部高さより低いため、サイクロン室３０とフィルタが配置されている側は空間となって通じている。
【００１７】
ファンケース１５内には、モーター１８に繋がるファン１７が配置されている。ファンケース１５は、外界に開口１２を向けた排気ダクト１９に連結している。
【００１８】
この脱臭装置は、モーター１８に駆動されてファン１７が回転することにより、筐体１４内の気体を吸い込み、開口１２から排気される。矢印線で示すように、汚染排気源から油水を含み汚染された気体が流入口１１からサイクロン室３０内に吸い込まれて流入し、渦巻（サイクロン）となる。このとき、流入口１１が、壁面の上下中央よりも下部で且つ上下中央軸３３の放射方向から外れているから、必然的に渦巻がおこり上方向に巻き上がる。このサイクロンの遠心力で汚染排気に含まれる塵埃粒子や、水分、油煙などの液体粒子がサイクロン室３０の側面壁にあたり、これらの粒子が凝集して滴となり、側面壁を伝わってドレイン３２から下に落下する。
【００１９】
サイクロン室３０から隔壁２５の上部開口を通って出た排気は、フィルタ群２０、２１、２２、２３、２４を透過する際に、さらに汚染粒子や分子、臭気成分分子が吸着乃至は分解され、清浄になって開口１２から外界に向かって排気される。
【００２０】
このとき汚染排気は、塵埃粒子、水分、油煙などの液体粒子がサイクロンで予め除去されているので、フィルタ２０、２１、２２、２３、２４の汚染、目詰まりがない。
【００２１】
尚、上記した消臭繊維フィルタは、金属フタロシアニンを担持した繊維の不織布からなるフィルタが特に適切で優れた効能を示した。
【図面の簡単な説明】
【００２２】
【図１】本発明を適用する脱臭装置の実施例の一部切欠き斜視図である。
【符号の説明】
【００２３】
１１は流入口、１２は流出口、１４は筐体、１５はファンケース、１６は連結筒、１７はファン、１８はモーター、１９は排気ダクト、２０は金属網からなるプレフィルタ、２１は中和フィルタ、２２は活性炭フィルタ、２３はセラミックスボールフィルタ、２４は消臭繊維フィルタ、２５は隔壁、３０はサイクロン室、３２はドレイン、３３は中央軸である。
【図１】
2008043837.tif 000003